(57)【要約】  内視鏡装置は、被検体の観察画像を入力するか又は前記観察画像及びシステム情報を入力する入力部と、前記観察画像から病変部候補を検出する検出部と、前記観察画像又はシステム情報から検査品質の低下リスクを推定するリスク推定部と、前記リスク推定部のリスク推定結果から病変部候補の報知態様を制御する報知制御部と、前記報知制御部の制御に従って前記病変部候補を報知する報知出力部と、を具備する。
2020152758.tif 000002
【特許請求の範囲】
【請求項１】
被検体の観察画像を入力するか又は前記観察画像及びシステム情報を入力する入力部と、
前記観察画像から病変部候補を検出する検出部と、 
前記観察画像又はシステム情報から検査品質の低下リスクを推定するリスク推定部と、
前記リスク推定部のリスク推定結果から病変部候補の報知態様を制御する報知制御部と、
前記報知制御部の制御に従って前記病変部候補を報知する報知出力部と、
を具備したことを特徴とする内視鏡装置。
【請求項２】
前記リスク推定部は、ユーザの疲労度を解析する疲労度解析部を具備し、
解析結果の疲労度に基づいて、前記リスク推定結果を求める
ことを特徴とする請求項１に記載の内視鏡装置。
【請求項３】
前記疲労度解析部は、操作ログを解析する第１操作ログ解析部を具備し、
解析結果の操作ログに基づいて、前記疲労度を求める
ことを特徴とする請求項２に記載の内視鏡装置。
【請求項４】
前記第１操作ログ解析部は、任意期間における内視鏡の持ち変え回数を解析する持ち変え回数解析部を具備し、
解析結果の持ち変え回数に基づいて、前記疲労度を求める
ことを特徴とする請求項３に記載の内視鏡装置。
【請求項５】
前記第１操作ログ解析部は、任意期間における内視鏡のひねり回数を解析するひねり回数解析部を具備し、
解析結果のひねり回数に基づいて、前記疲労度を求める
ことを特徴とする請求項３に記載の内視鏡装置。
【請求項６】
前記疲労度解析部は、検査状況ログを解析する検査状況解析部を具備し、
解析結果の検査状況に基づいて、前記疲労度を求める
ことを特徴とする請求項２に記載の内視鏡装置。
【請求項７】
前記検査状況解析部は、任意期間における検査経過時間を解析する検査経過時間解析部を具備し、
解析結果の検査経過時間に基づいて、前記疲労度を求める
ことを特徴とする請求項６に記載の内視鏡装置。
【請求項８】
前記検査状況解析部は、連続検査回数を解析する連続検査回数解析部を具備し、
解析結果の連続検査回数に基づいて、前記疲労度を求める
ことを特徴とする請求項６に記載の内視鏡装置。
【請求項９】
前記疲労度解析部は、生体情報を解析する生体情報解析部を具備し、
解析結果の生体情報に基づいて、前記疲労度を求める
ことを特徴とする請求項２に記載の内視鏡装置。
【請求項１０】
前記生体情報解析部は、瞬き回数解析部を具備し、
解析結果の瞬き回数に基づいて、前記疲労度を求める
ことを特徴とする請求項９に記載の内視鏡装置。
【請求項１１】
前記リスク推定部は、ユーザの経験レベルを解析する経験レベル解析部を具備し、
解析結果の経験レベルに基づいて、前記リスク推定結果を求める
ことを特徴とする請求項１に記載の内視鏡装置。
【請求項１２】
前記経験レベル解析部は、操作ログを解析する第２操作ログ解析部を具備し、
解析結果の操作ログに基づいて、前記経験レベルを求める
ことを特徴とする請求項１１に記載の内視鏡装置。
【請求項１３】
前記第２操作ログ解析部は、内視鏡の検査対象部までの内視鏡の抜き差し回数を解析する抜き差し回数解析部を具備し、
解析結果の抜き差し回数に基づいて、前記経験レベルを求める
ことを特徴とする請求項１２に記載の内視鏡装置。
【請求項１４】
前記第２操作ログ解析部は、内視鏡の検査対象部までの到達時間を解析する到達時間解析部を具備し、
解析結果の到達時間に基づいて、前記経験レベルを求める
ことを特徴とする請求項１２に記載の内視鏡装置。
【請求項１５】
前記経験レベル解析部は、ユーザの検査経歴を解析する検査経歴解析部を具備し、
解析結果の検査経歴に基づいて、前記経験レベルを求める
ことを特徴とする請求項１１に記載の内視鏡装置。
【請求項１６】
前記検査経歴解析部は、任意期間における検査の総検査数及び総検査時間の少なくとも一方を解析することで前記経験レベルを求める
ことを特徴とする請求項１５に記載の内視鏡装置。
【請求項１７】
前記経験レベル解析部は、ユーザの診断結果とコンピュータ診断支援装置の診断結果との比較結果の推移を解析する比較解析部を具備し、
解析結果の比較結果の推移に基づいて、前記経験レベルを求める
ことを特徴とする請求項１１に記載の内視鏡装置。
【請求項１８】
前記比較解析部は、過去から現在に至る比較結果の推移及び１検査内における比較結果の推移の少なくとも一方に基づいて前記経験レベルを求める
ことを特徴とする請求項１７に記載の内視鏡装置。
【請求項１９】
前記報知制御部は、前記リスク推定結果に基づいて前記病変部候補の報知時間を変更する
ことを特徴とする請求項１に記載の内視鏡装置。
【請求項２０】
前記報知制御部は、前記リスク推定結果に基づいて前記病変部候補の報知内容を変更する
ことを特徴とする請求項１に記載の内視鏡装置。
【請求項２１】
前記報知制御部は、前記リスク推定結果に基づいて前記病変部候補の報知態様の表示色調を変更する
ことを特徴とする請求項２０に記載の内視鏡装置。
【請求項２２】
前記報知制御部は、前記病変部候補の性状を解析する病変解析部を具備し、
前記病変部候補の性状及び前記リスク推定結果に基づいて前記病変部候補の表示非表示の表示判定レベルを変化させる
ことを特徴とする請求項２０に記載の内視鏡装置。
【請求項２３】
前記報知出力部は、前記観察画像と前記病変部候補を示す検出マーカとを表示器に表示する
ことを特徴とする請求項１に記載の内視鏡装置。
【請求項２４】
被検体を撮像して撮像信号を出力する内視鏡と、
前記内視鏡の撮像信号に基づく観察画像を生成するビデオプロセッサと、
前記ビデオプロセッサから前記観察画像を入力するか又は前記観察画像及びシステム情報を入力する入力部と、
前記観察画像から病変部候補を検出する検出部と、 
前記観察画像又はシステム情報から検査品質の低下リスクを推定するリスク推定部と、
前記リスク推定部のリスク推定結果から病変部候補の報知態様を制御する報知制御部と、
前記報知制御部の制御に従って前記病変部候補を報知する報知出力部と、
を具備したことを特徴とする内視鏡システム。
【発明の詳細な説明】
【技術分野】
【０００１】
本発明は、内視鏡装置及び内視鏡システムに関する。
【背景技術】
【０００２】
従来より、医療分野や工業用分野で内視鏡が広く利用されている。例えば、医療分野では、術者は、表示装置に表示された被検体内の内視鏡画像を見て病変部を発見及び識別し、病変部に対する処置具を用いた処理を行うことができる。【０００３】
術者が内視鏡画像を見る際に病変部の見落としを抑制するために、内視鏡画像から検出された病変部に、枠などのマーカを付与して強調表示させる画像処理装置は、一般的に広く知られている。【０００４】
ところで、内視鏡観察においては、内視鏡により撮像される体腔内の被写体と、当該体腔内に挿入される当該内視鏡の挿入部との相対位置が常時変化し得るため、一旦検出された病変部を、全フレームで正しく検出することは難しく、病変部候補領域の見落としが生じやすい。そこで、日本国特開２００６−２５５０２１号公報では、病変候補領域の見落としを防止するために、表示期間に基づいて表示強度を時間的に変化させる技術が提案されている。また、日本国特開２０１７−０３９３６４においては、ユーザの眠気状態を解析し、眠気（疲労）が低減されるように表示方法を変更することで、ユーザの運転操作ミスを抑制する技術が開示されている。【０００５】
しかしながら、日本国特開２００６−２５５０２１号の提案では、ユーザのスキルや状態に関係なく表示を強調するため、ユーザによっては必要以上に強調される可能性があり、疲労度が増加して病変部候補領域を見落す可能性が増大し検査品質が低下する虞があるという欠点がある。【０００６】
また、日本国特開２０１７−０３９３６４の提案では、色味の変更によって眠気状態を低減させるようになっており、内視鏡観察画像の色の変化により、検査品質がかえって低下する虞がある。【０００７】
本発明は、観察画像そのものを変更することなく、ユーザの状態に応じて表示方法を変更することにより、病変部候補領域の見落としを防止することができる内視鏡装置及び内視鏡システムを提供することを目的とする。
【発明の開示】
【課題を解決するための手段】
【０００８】
本発明の一態様による内視鏡装置は、被検体の観察画像を入力するか又は前記観察画像及びシステム情報を入力する入力部と、前記観察画像から病変部候補を検出する検出部と、 前記観察画像又はシステム情報から検査品質の低下リスクを推定するリスク推定部と、前記リスク推定部のリスク推定結果から病変部候補の報知態様を制御する報知制御部と、前記報知制御部の制御に従って前記病変部候補を報知する報知出力部と、を具備する。【０００９】
本発明の他の態様による内視鏡システムは、被検体を撮像して撮像信号を出力する内視鏡と、前記内視鏡の撮像信号に基づく観察画像を生成するビデオプロセッサと、前記ビデオプロセッサから前記観察画像を入力するか又は前記観察画像及びシステム情報を入力する入力部と、前記観察画像から病変部候補を検出する検出部と、 前記観察画像又はシステム情報から検査品質の低下リスクを推定するリスク推定部と、前記リスク推定部のリスク推定結果から病変部候補の報知態様を制御する報知制御部と、前記報知制御部の制御に従って前記病変部候補を報知する報知出力部と、を具備する。
【図面の簡単な説明】
【００１０】
【図１】第１の実施形態に係る内視鏡装置を含む内視鏡システムの要部の構成を示す図。
【図２】図１中の画像処理装置４０の具体的な構成の一例を示すブロック図。
【図３】第１の実施形態を説明するためのフローチャート。
【図４】本発明の第２の実施形態を示すブロック図。
【図５】検出マーカ情報生成部８２の具体的な構成の一例を示すブロック図。
【図６】第２の実施形態の動作を説明するためのフローチャート。
【図７】第２の実施形態の動作を説明するためのフローチャート。
【図８】第２の実施形態の動作を説明するためのフローチャート。
【図９】第２の実施形態の動作を説明するためのフローチャート。
【図１０】表示例を説明するための説明図。
【図１１】本発明の第３の実施形態を示すブロック図。
【図１２】第３の実施形態の動作を説明するためのフローチャート。
【図１３】本発明の第４の実施形態を示すブロック図。
【図１４】第４の実施形態の動作を説明するためのフローチャート。
【図１５】本発明の第５の実施形態を示すブロック図。
【図１６】第５の実施形態の動作を説明するためのフローチャート。
【図１７】第５の実施形態の動作を説明するためのフローチャート。
【図１８】本発明の第６の実施形態を示すブロック図。
【図１９】第６の実施形態の動作を説明するためのフローチャート。
【図２０】本発明の第７の実施形態を示すブロック図。
【図２１】第７の実施形態の動作を説明するためのフローチャート。
【発明を実施するための最良の形態】
【００１１】
以下、図面を参照して本発明の実施形態について詳細に説明する。【００１２】
（第１の実施形態）
図１は第１の実施形態に係る内視鏡装置を含む内視鏡システムの要部の構成を示す図である。本実施形態は、例えば、ユーザの経歴や検査状況等を解析することにより、検査品質が低下しそうな状況（リスク）を判断し、この判断に従って、検査品質の低下を抑制するために表示方法の変更を行うものである。これにより、本実施形態においては、例えば、ユーザの病変部候補の見落としを防止することができ、検査品質を向上させる効果がある。【００１３】
図１に示すように、内視鏡システム１は、光源駆動装置１１と、内視鏡２１と、ビデオプロセッサ３１と、画像処理装置４０と、表示装置９５と、を有して構成されている。【００１４】
光源駆動装置１１は、例えば、ドライブ回路を具備して構成されている。また、光源駆動装置１１は、内視鏡２１及びビデオプロセッサ３１に接続されている。また、光源駆動装置１１は、ビデオプロセッサ３１からの光源制御信号に基づき、内視鏡２１の光源部２３を駆動させるための光源駆動信号を生成し、当該生成した光源駆動信号を内視鏡２１へ出力するように構成されている。【００１５】
内視鏡２１は、光源駆動装置１１及びビデオプロセッサ３１に接続されている。また、内視鏡２１は、被検者の体腔内に挿入可能な細長形状の挿入部２２を有して構成されている。また、挿入部２２の先端部には、光源部２３と、撮像部２４と、が設けられている。【００１６】
光源部２３は、例えば、白色ＬＥＤ等の発光素子を具備して構成されている。また、光源部２３は、光源駆動装置１１から出力される光源駆動信号に応じて発光することにより照明光を発生し、当該発生した照明光を生体組織等の被写体へ出射するように構成されている。【００１７】
撮像部２４は、例えば、カラーＣＣＤまたはカラーＣＭＯＳ等のイメージセンサを有して構成されている。また、撮像部２４は、ビデオプロセッサ３１から出力される撮像制御信号に応じた動作を行うように構成されている。また、撮像部２４は、光源部２３からの照明光により照明された被写体からの反射光を受光し、当該受光した反射光を撮像して撮像信号を生成し、当該生成した撮像信号をビデオプロセッサ３１へ出力するように構成されている。【００１８】
ビデオプロセッサ３１は、光源駆動装置１１及び内視鏡２１に接続されている。また、ビデオプロセッサ３１は、光源部２３の発光状態を制御するための光源制御信号を生成して光源駆動装置１１へ出力するように構成されている。また、ビデオプロセッサ３１は、撮像部２４の撮像動作を制御するための撮像制御信号を生成して出力するように構成されている。また、ビデオプロセッサ３１は、内視鏡２１から出力される撮像信号に対して所定の処理を施すことにより被写体の観察画像を生成する。そして、当該生成した観察画像に対して強調処理やホワイトバランス補正処理を施した後、画像処理装置４０へ１フレームずつ順次出力するように構成されている。【００１９】
画像処理装置４０は、画像処理回路等の電子回路を具備して構成されている。また、画像処理装置４０は、ビデオプロセッサ３１から出力される観察画像に基づいて表示用画像を生成し、当該生成した表示用画像を表示装置９５に表示させるための動作を行うように構成されている。【００２０】
表示装置９５は、モニタ等を具備し、画像処理装置４０から出力される表示用画像を表示することができるように構成されている。【００２１】
図２は図１中の画像処理装置４０の具体的な構成の一例を示すブロック図である。【００２２】
図２に示すように、画像処理装置４０は、入力部５０と、診断支援部６０と、リスク推定部７０と、報知制御部８０と、報知出力部９０と、を有して構成されている。なお、診断支援部６０、リスク推定部７０及び報知制御部８０は、ＣＰＵやＦＰＧＡ等を用いたプロセッサによって構成されていてもよく、図示しないメモリに記憶されたプログラムに従って動作して各部を制御するものであってもよいし、ハードウェアの電子回路で機能の一部又は全部を実現するものであってもよい。【００２３】
入力部５０は、ビデオプロセッサ３１から入力される観察画像を取り込んで、診断支援部６０に出力する。また、入力部５０は、ビデオプロセッサ３１からシステム情報を取り込むようになっていてもよい。なお、システム情報は、観察画像のヘッダ情報に含まれて入力される場合もあり、また、観察画像とは別のデータとして入力される場合もある。本実施形態においては、システム情報は、ユーザの履歴や検査状況を示す情報を含む。入力部５０は、入力された観察画像を診断支援部６０及びリスク推定部７０に出力する。また、入力部５０は、観察画像とは別にシステム情報が入力された場合には、入力されたシステム情報をリスク推定部７０に出力するようになっている。【００２４】
診断支援部６０は、公知の手法により、入力された観察画像に基づいて病変部候補を検出するように構成されている。診断支援部６０は、検出した病変部候補の情報を報知制御部８０に出力する。【００２５】
報知制御部８０は、入力部５０から観察画像が与えられ、診断支援部６０から病変部候補の情報が与えられて、観察画像中に、診断支援部６０によって検出された病変部候補の検出結果を報知するための情報を生成する。報知制御部８０は、生成した情報を報知出力部９０に出力する。報知出力部９０は、報知制御部８０からの情報に基づいて、病変部候補の検出結果をユーザに報知するようになっている。例えば、報知出力部９０は、画像による報知、音声による報知等によって、病変部候補の検出結果をユーザに報知する。【００２６】
例えば、報知出力部９０が画像による報知を行う場合には、報知制御部８０は、病変部候補の位置を示す画像（以下、検出マーカという）を観察画像に重ねて表示するための情報を生成して報知出力部９０に出力する。報知出力部９０は、報知制御部８０からの情報に基づく検出マーカの画像を、入力部５０からの観察画像に合成した表示用画像を生成する。報知出力部９０は、生成した表示用画像を表示装置９５に与えて表示画面９５ａに表示させる。
この場合には、医者等は、表示装置９５の表示画面９５ａ上に表示された観察画像及び検出マーカによって、診断支援部６０によって検出された病変部候補を参考にし、最終的な判断を行う。この場合において、観察画像を観察する医者等の経験や疲労度等に応じて、検出マーカの見落としが生じたり、注意力が削がれたりする可能性がある。なお、報知が音声で行われる場合にも同様の問題がある。例えば、音量の大きさや報知期間によっては、聞き取り誤りが生じたり、音声によって注意力が削がれたりする等の問題がある。【００２７】
そこで、本実施形態においては、報知制御部８０による報知の報知態様をユーザに応じて最適化するためにリスク推定部７０が設けられている。リスク推定部７０は、観察画像に基づいて、検査品質が低下するリスクを推定し、リスクの推定結果を報知制御部８０に出力するようになっている。なお、リスク推定部７０は、システム情報を用いて検査品質が低下するリスクを推定するようになっていてもよい。即ち、リスク推定部７０は、観察画像及びシステム情報の少なくとも一方に基づいてリスクを推定する。【００２８】
例えば、リスク推定部７０は、観察画像やシステム情報に基づいて、ユーザの疲労度や経験レベルの解析結果を、検査品質が低下するリスクの推定結果として用いてもよい。リスク推定部７０は、見落としを防止するするように、報知態様を変更するためのリスク推定結果を発生する。【００２９】
例えば、画像によって報知を行う場合には、リスク推定部７０は、検出マーカの表示形態の変更制御を行うために、検査品質が低下するリスクを推定する。報知制御部８０は、リスク推定結果に従って、検出マーカの表示形態をユーザに応じて最適化する。なお、以下の説明では、画像を用いて報知を行う例について説明するが、報知を音声によって行う場合にも同様の制御が可能である。【００３０】
報知制御部８０は、リスク推定部７０のリスク推定結果が与えられて、検出マーカの表示形態を変更するようになっている。報知制御部８０は、検出マーカの表示、非表示によって病変部候補の検出の有無をユーザに認知させ、観察画像中の表示位置によって、病変部の体内の位置をユーザに認知させることができる。こうして、検出マーカは、例えばユーザの疲労度や経験レベルの解析結果であるリスク推定結果に対応する表示形態で表示されることになり、見落としを防止し、検査品質を向上させることができる。【００３１】
次に、このように構成された実施形態の動作について図３を参照して説明する。図３は第１の実施形態を説明するためのフローチャートである。【００３２】
内視鏡２１は、例えば、光源駆動装置１１及びビデオプロセッサ３１の電源が投入された際に、被写体へ照明光を出射し、当該被写体からの反射光を受光し、当該受光した反射光を撮像して撮像信号を生成し、当該生成した撮像信号をビデオプロセッサ３１へ出力する。【００３３】
ビデオプロセッサ３１は、内視鏡２１から出力される撮像信号に対して所定の処理を施すことにより被写体の観察画像を生成し、当該生成した観察画像を画像処理装置４０へ１フレームずつ順次出力する。すなわち、入力部５０は、ビデオプロセッサ３１から生体内管腔画像である内視鏡画像（観察画像）を取得する（Ｓ１）。この観察画像のヘッダ情報中に、システム情報が含まれていてもよい。また、観察画像のヘッダ情報にシステム情報が含まれていない場合には、入力部５０は、観察画像とは別にシステム情報を取り込むようになっていてもよい。なお、入力部５０は、システム情報を含まない観察画像のみを取り込むようになっていてもよい。【００３４】
次に、ステップＳ２において、診断支援部６０は、入力部５０から観察画像が与えられ、観察画像から病変部候補を検出し、検出結果を報知制御部８０に出力する。【００３５】
また、ステップＳ３において、リスク推定部７０は、入力部５０から観察画像及びシステム情報の少なくとも一方が与えられて、検査品質が低下するリスクを推定する。リスク推定部７０はリスクの推定結果を報知制御部８０に出力する。なお、ステップＳ２，Ｓ３は、ステップＳ３，Ｓ２の順に実行されてもよく、同時に実行されてもよい。【００３６】
報知制御部８０は、入力部５０から与えられた観察画像上に、診断支援部６０により検出された病変部候補を特定するための検出マーカを表示させるための情報を生成する。本実施形態においては、報知制御部８０は、リスク推定部７０によるリスクの推定結果に応じた表示形態の検出マーカを表示するための情報を生成する（Ｓ４）。【００３７】
報知制御部８０からの情報に基づいて報知出力部９０は検出マーカを表示装置の表示画面９５ａ上に表示する（Ｓ５）。【００３８】
このように本実施形態においては、検査品質が低下するリスクを推定し、この推定結果に従って、検査品質の低下を抑制するために表示方法の変更を行う。これにより、検査品質を向上させることができる。【００３９】
（第２の実施形態）
図４は本発明の第２の実施形態を示すブロック図である。本実施形態の内視鏡システムは、画像処理装置４０に代えて画像処理装置４１を採用した点が図１と異なる。図４は画像処理装置４１の具体的な構成の一例を示している。本実施形態は検査品質が低下するリスクをユーザの疲労度の解析によって推定する例である。【００４０】
図４における入力部５０の構成は図２と同様である。本実施形態においては、報知制御部８０の具体例として表示制御部８１を採用し、報知出力部９０の具体例として表示出力部９１を採用する例について説明する。【００４１】
入力部５０は、観察画像を診断支援部６０及び表示制御部８１に出力する。また、入力部５０は、観察画像及びシステム情報の少なくとも一方をリスク推定部７０に出力する。また、表示出力部９１は、表示制御部８１からの表示用画像を表示装置９５の表示画面９５ａに表示させる。【００４２】
本実施形態においては、診断支援部６０は、病変部候補検出部６１を有している。病変部候補検出部６１は、入力部５０から順次出力される観察画像に含まれる病変部候補を検出するように構成されている。病変部候補検出部６１は、例えば、ディープラーニング等の学習手法で病変部候補を鑑別可能な機能を予め取得した画像鑑別器を観察画像に対して適用する処理を行うことにより、当該観察画像から病変部候補を検出する。なお、病変部候補の検出は、上記に示す学習手法に限定されず、他の手法を用いてもよい。例えば、特開２００７−２４４５１８号公報に開示のようなポリープ候補検出処理などを用いてもよい。【００４３】
病変部候補検出部６１は、検出した病変部候補の観察画像上の領域（以下、病変部候補領域という）を判定し、当該病変部候補領域を示す情報を病変部候補の検出結果として表示制御部８１に出力するようになっている。【００４４】
表示制御部８１は、検出マーカ情報生成部８２を有している。検出マーカ情報生成部８２は、病変部候補領域を示す情報が与えられて、診断支援部６０において検出された病変部候補の存在をユーザに認知させるために、例えば、観察画像中の病変部候補の領域を囲む画像（検出マーカ）を生成するための情報を生成して表示出力部９１に出力する。
表示出力部９１は、画像合成部９２を有している。画像合成部９２は、表示制御部８１からの情報に基づいて、入力部５０からの観察画像中に検出マーカを重畳した表示用画像を生成して表示装置９５に出力する。【００４５】
検出マーカ情報生成部８２の情報により生成される検出マーカは、病変部候補の存在をユーザに視覚的に認知させるために必要な形態を有している。例えば、検出マーカの形状としては、四角形、三角形、円形、星形等であってもよく、他の任意の形状でもよい場合がある。また、検出マーカは、病変部候補の存在及び位置を示すことができるものであれば、病変部候補を囲まない画像であっても構わない。更には、検出マーカ情報生成部８２は、支援情報として病変部を示すメッセージを生成し、病変部の近傍にポップアップメッセージなどの形式で表示することによって、その存在を示してもよい。【００４６】
本実施形態においては、検出マーカ情報生成部８２は、リスク推定部７０からのリスク推定結果に基づいて、検出マーカの表示形態を変更するようになっている。即ち、検出マーカ情報生成部８２は、病変部候補の存在を容易に認知させ、且つ、なるべく観察画像を確認の妨げとならないように、表示形態を変更する。この場合において、本実施形態においては、リスク推定部７０は、ユーザの疲労度の解析に基づくリスク推定結果に従って、検出マーカ情報生成部８２による表示形態の変更を制御するようになっている。【００４７】
リスク推定部７０は、疲労度解析部７１を有している。疲労度解析部７１は、ユーザの疲労度を解析して解析結果を得る。リスク推定部７０は、疲労度解析部７１の解析結果をリスク推定結果として用いてもよい。本実施形態においては、疲労度解析部７１は、操作ログ解析部７３によって構成される。操作ログ解析部７３は、内視鏡２１の操作ログを解析することで、ユーザの疲労度を解析する。本実施形態では、一例として、操作ログ解析部７３は、持ち変え回数解析部７３ａ及びひねり回数解析部７３ｂによって構成する。【００４８】
持ち変え回数解析部７３ａは、内視鏡２１の操作ログにより、内視鏡２１の持ち換え回数を解析するようになっている。例えば、持ち変え回数解析部７３ａは、所定の方法で取得された任意期間において、ユーザが内視鏡２１の挿入部２２を持ち変えた回数を求める。挿入部２２を持ち変えるユーザの行為は、挿入部２２からユーザの手が離れることから、例えば、観察画像が揺れる等の変化となって現れる。例えば、持ち変え回数解析部７３ａは、観察画像に対する画像解析によって、このような観察画像の変化を検出することで、ユーザが挿入部２２を持ち変えたことを解析し、その回数を取得するようになっていてもよい。また、例えば、挿入部２２に図示しない加速度センサ等を取り付けることによって、この加速度センサの出力の解析により、持ち変え回数を解析することも可能である。リスク推定部７０は、このような加速度センサの出力をシステム情報として取得することにより、持ち変え回数を解析してもよい。
なお、上記任意期間を含む期間の情報は、種々の方法で取得することができる。画像処理装置４０及び後述の各画像処理装置は、設定する期間を、図示しないタイマやセンサ等のデバイスから取得してもよく、画像情報中に含まれる撮影時間の情報から取得してもよく、また、ユーザ設定に基づくシステム情報より取得してもよい。【００４９】
また、ひねり回数解析部７３ｂは、内視鏡２１の操作ログにより、内視鏡２１のひねり回数を解析するようになっている。例えば、ひねり回数解析部７３ｂは、図示しないタイマを備えており、任意期間において、ユーザが内視鏡２１の挿入部２２をひねった回数を求める。挿入部２２をひねるユーザの行為は、挿入部２２が回転することから、観察画像が回転する変化となって現れる。例えば、ひねり回数解析部７３ｂは、観察画像に対する画像解析によって、このような観察画像の変化を検出することで、ユーザが挿入部２２をひねったことを解析し、その回数を取得するようになっていてもよい。また、例えば、挿入部２２に図示しないジャイロセンサ等を取り付けることによって、このジャイロセンサの出力の解析により、ひねり回数を解析することも可能である。リスク推定部７０は、このようなジャイロセンサの出力をシステム情報として取得することにより、ひねり回数を解析してもよい。【００５０】
疲労度解析部７１は、持ち変え回数解析部７３ａによって求めた持ち変え回数及びひねり回数解析部７３ｂによって求めたひねり回数の少なくとも一方に応じてユーザの疲労度を解析し、解析結果をリスク推定結果としてもよい。例えば、疲労度解析部７１は、ユーザの内視鏡２１の持ち換え回数又はひねり回数が多いほど疲労度が高いものと判定し、検査品質の低下のリスクが高まったと推定してもよい。逆に、リスク推定部７０は、ユーザの内視鏡２１の持ち換え回数又はひねり回数が少ないほど疲労度が低いものと判定し、検査品質の低下のリスクが低いと推定してもよい。リスク推定部７０からのユーザの疲労度に基づくリスク推定結果は、表示制御部８１に供給される。【００５１】
なお、本実施形態においては、操作ログ解析部７３は、持ち変え回数解析部７３ａ及びひねり回数解析部７３ｂにより構成した例を説明したが、持ち変え回数解析部７３ａ又はひねり回数解析部７３ｂのいずれか一方によって構成してもよい。【００５２】
図５は検出マーカ情報生成部８２の具体的な構成の一例を示すブロック図である。【００５３】
図５では、検出マーカ情報生成部８２が、表示時間制御部８３及び表示内容制御部８４によって構成される例を示している。表示時間制御部８３は、入力されたリスク推定結果に基づいて、検出マーカの表示時間を変更する。例えば、表示時間制御部８３は、リスク推定結果によって示されたユーザの疲労度に応じた表示時間を設定してもよい。例えば、ユーザの疲労度が高い程表示時間を長くし、ユーザの疲労度が短い程表示時間を短くすることができる。【００５４】
表示内容制御部８４は、入力されたリスク推定結果に基づいて、検出マーカの表示の内容（質）を変更する。図５の例では、表示内容制御部８４は、色調変更部８４ａ及び表示判定レベル変更部８４ｂにより構成されている。色調変更部８４ａは、入力されたリスク推定結果に基づいて、検出マーカの色調を変更する。例えば、色調変更部８４ａは、リスク推定結果によって示されたユーザの疲労度に応じた色調を設定してもよい。例えば、色調変更部８４ａは、ユーザの疲労度が高いほど検出マーカを目立つ色調に設定してもよい。例えば、色調変更部８４ａは、ユーザの疲労度が高い程、検出マーカの明度及び彩度を高く設定してもよい。この場合には、ユーザの疲労度が高い程、感覚的には検出マーカは目立った表示となる。逆に、ユーザの疲労度が低い程、感覚的には検出マーカは自然な色合いとすることもできる。【００５５】
表示判定レベル変更部８４ｂは、入力されたリスク推定結果に基づいて、検出マーカの表示非表示の判定レベル（以下、表示判定レベルという）を変更する。なお、表示判定レベルは、低い程表示されにくく、高い程表示されやすいものとして説明する。例えば、同一の病変部候補であっても、検出マーカは、表示判定レベルが低ければ表示されない場合があり、表示判定レベルが高ければ表示される場合もある。【００５６】
表示判定レベル変更部８４ｂは、リスク推定結果のみに基づいて表示判定レベルを決定してもよいが、図５の例では表示判定レベルを決定するために、病変解析部８５を備えている。病変解析部８５は、病変部候補検出部６１によって検出された病変部候補の性状を解析するようになっている。病変解析部８５は、病変部候補が見落としやすいものであるか否かを解析する。例えば、病変解析部８５は、病変部候補検出部６１から病変部候補の形状、サイズ、色等の情報が与えられ、見落としやすさの度合いを判定する。【００５７】
表示判定レベル変更部８４ｂは、リスク推定結果によって示されたユーザの疲労度と見落としやすさの度合いとに基づいて表示判定レベルを決定する。表示判定レベルは、見落としやすさの度合いが高い程、高い値に設定されており、表示判定レベル変更部８４ｂは、この表示判定レベルをユーザの疲労度が高い程高い値に設定するようになっている。従って、表示判定レベル変更部８４ｂの制御によれば、見落としやすく、疲労度が高い程、検出マーカはより表示されやすくなり、見落としにくく、疲労度が低い程、検出マーカはより表示されにくくなる。【００５８】
次に、このように構成された実施形態の動作について図６から図１０を参照して説明する。図６から図９は第２の実施形態の動作を説明するためのフローチャートである。また、図１０は表示例を説明するための説明図である。【００５９】
本実施形態における動作は、図３と同様である。本実施形態は図３のステップＳ３，Ｓ４について、具体的なフローの一例を示している。【００６０】
光源駆動装置１１及びビデオプロセッサ３１の電源が投入されると、内視鏡２１は、被写体へ照明光を出射し、当該被写体からの反射光を受光し、受光した反射光を撮像して撮像信号を生成し、生成した撮像信号をビデオプロセッサ３１へ出力する。【００６１】
ビデオプロセッサ３１は、内視鏡２１から出力される撮像信号に対して所定の処理を施すことにより被写体の観察画像を生成し、生成した観察画像を画像処理装置４１へ１フレームずつ順次出力する。入力部５０は、ビデオプロセッサ３１から生体内管腔画像である内視鏡画像（観察画像）を取得する（図３のＳ１）。なお、観察画像には、システム情報が含まれることもある。入力部５０は、取得した画像を診断支援部６０及びリスク推定部７０に出力する。なお、入力部５０は、観察画像とは別にシステム情報が入力される場合には、取得したシステム情報をリスク推定部７０に出力する。【００６２】
病変部候補検出部６１は、例えば、ディープラーニング等の学習手法を利用して観察画像から病変部候補を検出する（図３のＳ２）。病変部候補検出部６１は、検出された病変部候補の画像中の範囲を示す病変部候補領域を判定し、病変部候補領域を示す情報を病変部候補の検出結果として表示制御部８１に出力する。【００６３】
一方、リスク推定部７０の疲労度解析部７１は、図６のステップＳ３１において、ユーザの疲労度を解析する。例えば、疲労度解析部７１は、操作ログ解析部７３によって、内視鏡２１の操作ログを解析する。図７は操作ログ解析部７３の具体的なフローを示している。操作ログ解析部７３は、持ち変え回数解析部７３ａによって、内視鏡２１の持ち変え回数を解析する（Ｓ３１１）。また、操作ログ解析部７３は、ひねり回数解析部７３ｂによって内視鏡２１のひねり回数を解析する（Ｓ３１２）。【００６４】
なお、ステップＳ３１１，Ｓ３１２の持ち変え回数の解析及びひねり回数の解析は、逆順に行ってもよく、また、いずれか一方の解析のみを行ってもよい。疲労度解析部７１は、解析した持ち変え回数及びひねり回数の少なくとも一方の解析結果に基づいて、疲労度を算出する（Ｓ３１３）。疲労度解析部７１は、算出した疲労度をリスク推定結果として表示制御部８１に出力する。なお、疲労度解析部７１は、解析した回数を疲労度の解析結果とし、疲労度の解析結果をそのままリスク推定結果として出力してもよい。この場合には、解析した回数が多い程疲労度が高く、品質が低下するリスクが高いと推定される。【００６５】
表示制御部８１の検出マーカ情報生成部８２は、入力されたリスク推定結果に基づいて、検出マーカの形態を設定し、設定に応じた検出マーカを表示させるための情報を生成する。例えば、検出マーカ情報生成部８２は、表示時間制御部８３によって、リスク推定結果に基づく表示時間を設定する（図８のＳ４１）。また、検出マーカ情報生成部８２は、表示内容制御部８４によって、リスク推定結果に基づく表示内容を設定する（図８のＳ４２）。なお、ステップＳ４１，Ｓ４２の設定は、逆順に行ってもよく、また、いずれか一方の設定のみを行ってもよい。【００６６】
図９は図８中のステップＳ４２の具体的なフローの一例を示している。例えば、表示内容制御部８４は、色調変更部８４ａによって、リスク推定結果に従って色調を変更する（図９のＳ４２１）。例えば、リスク推定結果により検査品質が低下するリスクが比較的高いことが示された場合には、色調変更部８４ａは、検出マーカを目立つ色調に設定する。【００６７】
また、表示内容制御部８４は、表示判定レベル変更部８４ｂによって、表示判定レベルを決定する。例えば、表示判定レベル変更部８４ｂは、ステップＳ４２２において、病変部候補の性状を解析する。表示判定レベル変更部８４ｂは、リスク推定結果及び病変部候補の性状に基づいて表示判定レベルを決定する（Ｓ４２３）。例えば、表示判定レベル変更部８４ｂは、サイズが小さく見逃しやすい性状の病変部候補については、表示判定レベルを高くして表示し易くする。そして、表示判定レベル変更部８４ｂは、リスク推定結果に従って、表示判定レベルを更に変更する。例えば、表示判定レベル変更部８４ｂは、ユーザの疲労度が比較的高い場合には、より表示判定レベルを高くして、表示しやすくする。【００６８】
なお、ステップＳ４２１とステップＳ４２３，Ｓ４２３の設定は、逆順に行ってもよく、また、ステップＳ４２１の設定のみを行ってもよい。また、表示判定レベル変更部８４ｂは、所定の表示判定レベルをリスク推定結果のみによって変更することで、表示判定レベルを決定してもよい。【００６９】
検出マーカ情報生成部８２は、ステップＳ４３において、設定した表示時間、設定した色調、設定した表示判定レベルの少なくとも１つの設定に基づいて検出マーカを表示するための情報を生成して表示出力部９１に出力する。表示出力部９１の画像合成部９２は、検出マーカ情報生成部８２からの情報に基づいて、観察画像に検出マーカを重畳した表示用画像を生成して表示装置９５に与える。これにより、表示装置９５は、表示画面９５ａ上に検出マーカが重畳された観察画像を表示する。【００７０】
図１０は表示装置９５の表示画面９５ａ上に表示された画像の例を示している。図１０の画像１０１ａ〜１０１ｃは、同一観察画像１０１について、リスク推定結果が異なる場合の検出マーカの３つの表示例を示している。観察画像１０１中には、診断支援部６０によって検出された病変部候補１０１ａが存在する。この病変部候補１０１ａを囲むように、検出マーカ１０２〜１０４が表示されている。【００７１】
例えば、検出マーカ１０２は、中程度の疲労度の場合の表示例であり、検出マーカ１０３は、疲労度が大きい場合の表示例であり、検出マーカ１０４は、疲労度が極めて小さい場合の表示例である。図面上、検出マーカ１０３は、検出マーカ１０２に比べて太線で表示することにより、例えば、比較的長い表示時間で、比較的目立つ色調で、比較的高い表示判定レベルに対応した表示であることを示している。【００７２】
また、表示内容の変更の例として、色調及び表示判定レベルについて説明したが、図１０のように、検出マーカの枠の線の太さや枠の種類等を変えるようになっていてもよい。例えば、疲労度が高い程枠の線の太さを太くするようになっていてもよい。あるいは、リスク推定結果によって検出マーカを点灯、点滅させてもよく、リスク推定結果に応じて点滅周期を変化させてもよい。また、例えば、検出マーカ１０４に示すように、疲労度が比較的低い場合には、検出マーカを破線によって表示するようになっていてもよい。【００７３】
このように本実施の形態においては、検査品質が低下するリスクをユーザの疲労度の解析によって推定し、リスク推定結果に基づいて検出マーカの表示形態を変更するようになっている。これにより、ユーザの疲労度が比較的高い場合には、検出マーカを例えば見やすく表示することで検出マーカの見落としを防止し、検査品質を向上させ、ユーザの疲労度が比較的低い場合には、観察画像の視認性が悪化しないように検出マーカを表示することで、検査品質を向上させることができる。【００７４】
（第３の実施形態）
図１１は本発明の第３の実施形態を示すブロック図である。本実施形態の内視鏡システムは、画像処理装置４０に代えて画像処理装置４２を採用した点が図１と異なる。図１１の画像処理装置４２は、疲労度解析部７１を検査状況解析部７４によって構成した点が図４と異なる。他の構成は第２の実施形態と同様であり、説明を省略する。本実施形態はユーザの疲労度を検査状況の解析によって推定する例である。【００７５】
検査状況解析部７４は、内視鏡検査の状況を解析することで、ユーザの疲労度を解析する。本実施形態では、一例として、検査状況解析部７４は、検査経過時間解析部７４ａ及び連続検査回数解析部７４ｂによって構成する。【００７６】
検査経過時間解析部７４ａは、検査経過時間を解析するようになっている。例えば、検査経過時間解析部７４ａは、上述した各種の方法により取得した任意期間において、ユーザが内視鏡検査を行った時間を求める。内視鏡検査時には、検査者の氏名等の検査者を特定する情報が入力されるようになっており、検査経過時間解析部７４ａは、システム情報によって検査経過時間を解析することが可能である。なお、観察画像中に検査者を特定する情報がシステム情報とは別に含まれることもあり、検査経過時間解析部７４ａは、観察画像から各ユーザの検査経過時間を解析することも可能である。【００７７】
例えば、任意期間として、例えば、１日、１週間、１ヶ月等を設定することができる。例えば、各ユーザについて１日の検査経過時間が比較的長い場合には、経過時間が長くなるにつれて疲労度が高くなるものと考えられる。疲労度解析部７１は、検査経過時間解析部７４ａが求めた検査経過時間が長い程疲労度が高いと解析することができ、リスク推定部７０は、検査品質が低下するリスクが増大すると推定することができる。【００７８】
また、連続検査回数解析部７４ｂは、各ユーザについて、内視鏡検査の連続検査回数を解析する。連続検査回数解析部７４ｂは、システム情報によってユーザ毎に連続検査回数を解析することが可能である。また、連続検査回数解析部７４ｂは、観察画像から各ユーザの連続検査回数を解析することも可能である。【００７９】
例えば、１日に複数回の内視鏡検査が行われるものとして、同一ユーザが連続して検査を行った場合と、複数のユーザによって交代しながら検査を行った場合とでは疲労度が異なり、同一ユーザが連続して検査を行う回数が多い程、疲労度が増大すると考えられる。疲労度解析部７１は、連続検査回数解析部７４ｂが求めた連続検査回数が多い程疲労度が高いと解析することができ、リスク推定部７０は、検査品質が低下するリスクが増大すると推定することができる。【００８０】
なお、本実施形態においては、検査状況解析部７４は、検査経過時間解析部７４ａ及び連続検査回数解析部７４ｂにより構成した例を説明したが、検査経過時間解析部７４ａ又は連続検査回数解析部７４ｂのいずれか一方によって構成してもよい。【００８１】
次に、このように構成された実施形態の動作について図１２を参照して説明する。図１２は第３の実施形態の動作を説明するためのフローチャートである。【００８２】
本実施形態における動作は、図３及び図６と同様である。図１２は、図６のステップＳ３１について、図７とは異なる具体的なフローの一例を示している。【００８３】
リスク推定部７０の疲労度解析部７１は、図６のステップＳ３１において、ユーザの疲労度を解析する。例えば、疲労度解析部７１は、検査状況解析部７４によって、各ユーザの内視鏡検査状況を解析する。図１２は検査状況解析部７４の具体的な処理の一例を示している。検査状況解析部７４は、検査経過時間解析部７４ａによって内視鏡検査の検査経過時間を解析する（Ｓ３１４）。また、検査状況解析部７４は、連続検査回数解析部７４ｂによって内視鏡検査の連続検査回数を解析する（Ｓ３１５）。【００８４】
なお、ステップＳ３１４，Ｓ３１５の解析は、逆順に行ってもよく、また、いずれか一方の解析のみを行ってもよい。疲労度解析部７１は、解析した検査経過時間及び連続検査回数の少なくとも一方の解析結果に基づいて、疲労度を算出する（Ｓ３１６）。疲労度解析部７１は、算出した疲労度をリスク推定結果として表示制御部８１に出力する。なお、疲労度解析部７１は、検査経過時間が長いほど、また、連続検査回数が多い程、疲労度が高く、品質が低下するリスクが高いと推定する。【００８５】
表示制御部８１の検出マーカ情報生成部８２において、リスク推定結果に応じた形態の検出マーカを表示するための情報が生成されることは第２の実施形態と同様である。この結果、表示装置９５の表示画面９５ａ上には、ユーザの疲労度に応じた形態の検出マーカが表示される。【００８６】
他の作用は第２の実施形態と同様である。このように本実施の形態においても、第２の実施形態と同様の効果を得ることができる。【００８７】
（第４の実施形態）
図１３は本発明の第４の実施形態を示すブロック図である。本実施形態の内視鏡システムは、画像処理装置４０に代えて画像処理装置４３を採用した点が図１と異なる。図１３の画像処理装置４３は、疲労度解析部７１を生体情報解析部７５によって構成した点が図４と異なる。他の構成は第２の実施形態と同様であり、説明を省略する。本実施形態はユーザの疲労度を生体情報の解析によって推定する例である。【００８８】
生体情報解析部７５は、生体情報を解析することで、ユーザの疲労度を解析する。本実施形態では、一例として、生体情報解析部７５は、瞬き回数解析部７５ａ及び脈拍等解析部７５ｂによって構成する。【００８９】
瞬き回数解析部７５ａは、ユーザの瞬き回数を解析するようになっている。検査室等においては、術野カメラ等が設けられており、ユーザの顔部の撮像が可能である。ビデオプロセッサ３１には、これらのカメラからの画像も入力されるようになっており、ビデオプロセッサ３１は、ユーザの撮像画像の画像解析によって、ユーザが瞬きした回数を求めることができる。ビデオプロセッサ３１は、ユーザの瞬き回数をシステム情報として画像処理装置４３に出力することができる。瞬き回数解析部７５ａは、入力されたシステム情報によって、ユーザの瞬き回数を解析する。
なお、瞬き回数の情報を画像から取得する例を説明したが、画像以外の各種センサ等のデバイスから取得してもよく、システム情報から取得してもよい。【００９０】
なお、リスク推定部７０において、術野カメラ等によるユーザの撮像画像を取り込むようになっていてもよい。この場合には、瞬き回数解析部７５ａは、取り込んだユーザの撮像画像に対する画像解析によって、ユーザの瞬き回数を求めることが可能である。【００９１】
瞬き回数が多いほど、ユーザの疲労度が大きいと考えられる。疲労度解析部７１は、瞬き回数解析部７５ａが求めた瞬き回数が多い程疲労度が高いと解析することができ、リスク推定部７０は、検査品質が低下するリスクが増大すると推定することができる。【００９２】
また、脈拍等解析部７５ｂは、各ユーザについて、脈拍、体温、飽和酸素量等を解析する。脈拍等解析部７５ｂは、システム情報によってユーザ毎にこれらの解析を行うことが可能である。疲労度解析部７１は、脈拍、体温、飽和酸素量等の解析結果によって、ユーザの疲労度を解析する。【００９３】
なお、本実施形態においては、生体情報解析部７５は、瞬き回数解析部７５ａ及び脈拍等解析部７５ｂにより構成した例を説明したが、瞬き回数解析部７５ａ又は脈拍等解析部７５ｂのいずれか一方によって構成してもよい。【００９４】
次に、このように構成された実施形態の動作について図１４を参照して説明する。図１４は第４の実施形態の動作を説明するためのフローチャートである。【００９５】
本実施形態における動作は、図３及び図６と同様である。図１４は、図６のステップＳ３１について、図７とは異なる具体的なフローの一例を示している。【００９６】
リスク推定部７０の疲労度解析部７１は、図６のステップＳ３１において、ユーザの疲労度を解析する。例えば、疲労度解析部７１は、生体情報解析部７５によって、各ユーザの生体情報を解析する。図１４は生体情報解析部７５の具体的な処理の一例を示している。生体情報解析部７５は、瞬き回数解析部７５ａによって瞬き回数を解析する（Ｓ３１７）。また、検査状況解析部７４は、脈拍等解析部７５ｂによってユーザの脈拍、体温、飽和酸素量等を解析する（Ｓ３１８）。【００９７】
なお、ステップＳ３１７，Ｓ３１８の解析は、逆順に行ってもよく、また、いずれか一方の解析のみを行ってもよい。疲労度解析部７１は、解析した瞬き回数及び脈拍等の少なくとも一方の解析結果に基づいて、疲労度を算出する（Ｓ３１９）。疲労度解析部７１は、算出した疲労度をリスク推定結果として表示制御部８１に出力する。なお、疲労度解析部７１は、瞬き回数が多いほど、疲労度が高く、検査品質が低下するリスクが高いと推定する。疲労度解析部７１は、脈拍、体温、飽和酸素量については、ユーザの検査中における変化に基づいて疲労度を算出してもよく、あるいは、ユーザ毎の平常時の情報を記憶し、記憶した情報との比較によって、疲労度を算出してもよい。【００９８】
表示制御部８１の検出マーカ情報生成部８２において、リスク推定結果に応じた形態の検出マーカを表示するための情報が生成されることは第２の実施形態と同様である。この結果、表示装置９５の表示画面９５ａ上には、ユーザの疲労度に応じた形態の検出マーカが表示される。【００９９】
他の作用は第２の実施形態と同様である。このように本実施の形態においても、第２の実施形態と同様の効果を得ることができる。【０１００】
なお、リスク推定部７０としては、上記第２から第４の実施形態における持ち変え回数解析部７３ａ、ひねり回数解析部７３ｂ、検査経過時間解析部７４ａ、連続検査回数解析部７４ｂ、瞬き回数解析部７５ａ及び脈拍等解析部７５ｂのうちの少なくとも１つを備えた疲労度解析部７１を採用してユーザの疲労度を解析するようになっていてもよい。【０１０１】
（第５の実施形態）
図１５は本発明の第５の実施形態を示すブロック図である。本実施形態の内視鏡システムは、画像処理装置４０に代えて画像処理装置４４を採用した点が図１と異なる。図１５は画像処理装置４４の具体的な構成の一例を示している。図１５の画像処理装置４４は、リスク推定部７０が疲労度解析部７１に代えて経験レベル解析部７２を採用した点が図４と異なる。他の構成は第２の実施形態と同様であり、説明を省略する。本実施形態は検査品質が低下するリスクをユーザの経験レベルの解析によって推定する例である。【０１０２】
リスク推定部７０は、経験レベル解析部７２を有している。経験レベル解析部７２は、ユーザの経験レベルを解析して解析結果を得る。リスク推定部７０は、経験レベル解析部７２の解析結果をリスク推定結果として用いてもよい。本実施形態においては、経験レベル解析部７２は、操作ログ解析部７６によって構成される。操作ログ解析部７６は、内視鏡２１の操作ログを解析することで、ユーザの経験レベルを解析する。本実施形態では、一例として、操作ログ解析部７６は、抜き差し回数解析部７６ａ及び到達時間解析部７６ｂによって構成する。【０１０３】
抜き差し回数解析部７６ａは、内視鏡２１の操作ログにより、内視鏡２１の抜き差し回数を解析するようになっている。例えば、抜き差し回数解析部７６ａは、挿入部２２が体内に挿入開始されて検査対象部位に到達するまでの間の挿入部２２の抜き差し回数を求める。挿入部２２を抜き差しするユーザの行為により、挿入部２２に設けた撮像部２４も移動し、観察画像が変化する。例えば、抜き差し回数解析部７６ａは、観察画像に対する画像解析によって、このような観察画像の変化を検出することで、ユーザが挿入部２２を抜き差ししたことを解析し、その回数を取得するようになっていてもよい。また、例えば、挿入部２２に図示しない加速度センサ等を取り付けることによって、この加速度センサの出力の解析により、抜き差し回数を解析することも可能である。リスク推定部７０は、このような加速度センサの出力をシステム情報として取得することにより、抜き差し回数を解析してもよい。【０１０４】
また、到達時間解析部７６ｂは、内視鏡２１の操作ログにより、挿入部２２が検査対象部位に到達するまでに要した時間（到達時間）を解析するようになっている。即ち、到達時間解析部７６ｂは、挿入部２２が体内に挿入開始されて検査対象部位に到達するまでの時間を求める。挿入部２２の挿入開始時と検査対象部位に到達したことは、観察画像の画像解析及びタイマ等による計時によって検出可能である。到達時間解析部７６ｂは、観察画像の画像解析によって、到達時間を解析するようになっていてもよい。また、例えば、ユーザの内視鏡スイッチの操作によって、挿入開始時及び検査対象部位到達時をビデオプロセッサ３１に伝達することも可能であり、リスク推定部７０は、システム情報としてこれらの時刻を取得することにより、到達時間を解析してもよい。【０１０５】
経験レベル解析部７２は、抜き差し回数解析部７６ａによって求めた抜き差し回数及び到達時間解析部７６ｂによって求めた到達時間の少なくとも一方に応じてユーザの経験レベルを解析し、解析結果をリスク推定結果としてもよい。例えば、経験レベル解析部７２は、ユーザの挿入部２２の抜き差し回数が少ない程、あるいは、到達時間が短い程、熟練度が高い、即ち、経験レベルが高いと判定し、検査品質の低下のリスクが低いと推定してもよい。逆に、リスク推定部７０は、ユーザの挿入部２２の抜き差し回数が多い程、あるいは、到達時間が長い程、熟練度が低い、即ち、経験レベルが低いと判定し、検査品質の低下のリスクが高いと推定してもよい。リスク推定部７０からのユーザの経験レベルに基づくリスク推定結果は、表示制御部８１に供給される。【０１０６】
なお、本実施形態においては、操作ログ解析部７６は、抜き差し回数解析部７６ａ及び到達時間解析部７６ｂにより構成した例を説明したが、抜き差し回数解析部７６ａ又は到達時間解析部７６ｂのいずれか一方によって構成してもよい。【０１０７】
次に、このように構成された実施形態の動作について図１６及び図１７を参照して説明する。図１６及び図１７は第５の実施形態の動作を説明するためのフローチャートである。【０１０８】
本実施形態における動作は、図３と同様である。図１６は図３のステップＳ３について、具体的なフローの一例を示しており、図１７は図１６のステップＳ５１の具体的なフローの一例を示している。【０１０９】
観察画像の取得、病変部候補の検出及び表示制御は、第２の実施形態と同様である。本実施形態は、リスク推定の手法が第２の実施形態と異なる。【０１１０】
リスク推定部７０の経験レベル解析部７２は、図１６のステップＳ５１において、ユーザの経験レベルを解析する。例えば、経験レベル解析部７２は、操作ログ解析部７６によって、内視鏡２１の操作ログを解析する。図１７は操作ログ解析部７６の具体的な処理の一例を示している。操作ログ解析部７６は、抜き差し回数解析部７６ａによって挿入部２２の抜き差し回数を解析する（Ｓ５１１）。また、操作ログ解析部７６は、到達時間解析部７６ｂによって挿入部２２が検査対象部位に到達するまでの到達時間を解析する（Ｓ５１２）。【０１１１】
なお、ステップＳ５１１，Ｓ５１２の抜き差し回数の解析及び到達時間解析は、逆順に行ってもよく、また、いずれか一方の解析のみを行ってもよい。経験レベル解析部７２は、解析した抜き差し回数及び到達時間の少なくとも一方の解析結果に基づいて、ユーザの経験レベルを算出する（Ｓ５１３）。経験レベル解析部７２は、算出した経験レベルをリスク推定結果として表示制御部８１に出力する。なお、経験レベル解析部７２は、抜き差し回数及び到達時間の数値を経験レベルの解析結果とし、経験レベルの解析結果をそのままリスク推定結果として出力してもよい。この場合には、抜き差し回数が多い程、到達時間が長いほど熟練度が低く（経験レベルが低く）、品質が低下するリスクが高いと推定される。【０１１２】
表示制御部８１の検出マーカ情報生成部８２は、入力されたリスク推定結果に基づいて、検出マーカの形態を設定し、設定に応じて検出マーカを表示するための情報を生成する。例えば、検出マーカ情報生成部８２は、表示時間制御部８３によって、リスク推定結果に基づく表示時間を設定し（図８のＳ４１）、表示内容制御部８４によって、リスク推定結果に基づく表示内容を設定する（図８のＳ４２）。【０１１３】
こうして、リスク推定結果に応じて表示形態で検出マーカが表示される。【０１１４】
例えば、抜き差し回数が多い場合や、到達時間が長い場合には、リスク推定結果に基づいて、比較的長い時間、より目立つ色調で検出マーカが表示される。これにより、経験レベルが低いユーザについても、検出マーカの見落としを防止することができ、結果的に検査品質の向上を図ることができる。【０１１５】
逆に、抜き差し回数が少ない場合や、到達時間が短い場合には、リスク推定結果に基づいて、比較的短い時間、より自然な色調で検出マーカが表示される。これにより、経験レベルが高いユーザについては、観察画像の視認性が検出マーカによって悪化することを抑制することができ、結果的に検査品質の向上を図ることができる。【０１１６】
このように本実施の形態においては、検査品質が低下するリスクをユーザの経験レベルの解析によって推定し、リスク推定結果に基づいて検出マーカの表示形態を変更するようになっている。これにより、ユーザの経験レベルが比較的低い場合には、検出マーカを例えば見やすく表示することで検出マーカの見落としを防止して検査品質を向上させ、ユーザの経験レベルが比較的高い場合には、観察画像の視認性が悪化しないように検出マーカを表示することで、検査品質を向上させることができる。【０１１７】
（第６の実施形態）
図１８は本発明の第６の実施形態を示すブロック図である。本実施形態の内視鏡システムは、画像処理装置４０に代えて画像処理装置４５を採用した点が図１と異なる。図１８の画像処理装置４４は、経験レベル解析部７２を検査経歴解析部７７によって構成した点が図１５と異なる。他の構成は第５の実施形態と同様であり、説明を省略する。本実施形態はユーザの経験レベルを検査経歴の解析によって推定する例である。【０１１８】
検査経歴解析部７７は、内視鏡検査の経歴を解析することで、ユーザの経験レベルを解析する。本実施形態では、一例として、検査経歴解析部７７は、総検査数解析部７７ａ及び総検査時間解析部７７ｂによって構成する。【０１１９】
総検査数解析部７７ａは、総検査数を解析するようになっている。例えば、総検査数解析部７７ａは、上述した各種の方法により取得した任意期間において、ユーザが内視鏡検査を行った数を求める。内視鏡検査時には、検査者の氏名等の検査者を特定する情報が入力されるようになっており、総検査数解析部７７ａは、システム情報によって総検査数を解析することが可能である。なお、観察画像中に検査者を特定する情報がシステム情報とは別に含まれることもあり、総検査数解析部７７ａは、観察画像から各ユーザの検査数を解析することも可能である。【０１２０】
総検査時間解析部７７ｂは、総検査時間を解析するようになっている。例えば、総検査時間解析部７７ｂは、上述した各種の方法により取得した任意期間において、ユーザが内視鏡検査を行った時間を求める。総検査時間解析部７７ｂは、システム情報によって総検査時間を解析することが可能である。なお、総検査時間解析部７７ｂは、観察画像から各ユーザの総検査時間を解析することも可能である。【０１２１】
例えば、任意期間として、例えば、１日、１週間、１ヶ月等を設定することができる。例えば、各ユーザについて年間における総検査数が比較的多く、総検査時間が比較的長い場合には、熟練度（経験レベル）が高いものと考えられる。経験レベル解析部７２は、総検査数解析部７７ａが求めた総検査数が多い程、総検査時間解析部７７ｂが求めた総検査時間が長い程、経験レベルが高いと解析することができ、リスク推定部７０は、検査品質が低下するリスクが小さいと推定することができる。【０１２２】
なお、本実施形態においては、検査経歴解析部７７は、総検査数解析部７７ａ及び総検査時間解析部７７ｂにより構成した例を説明したが、総検査数解析部７７ａ又は総検査時間解析部７７ｂのいずれか一方によって構成してもよい。【０１２３】
次に、このように構成された実施形態の動作について図１９を参照して説明する。図１９は第６の実施形態の動作を説明するためのフローチャートである。【０１２４】
本実施形態における動作は、図３及び図１６と同様である。図１９は、図１６のステップＳ５１について、図１７とは異なる具体的なフローの一例を示している。【０１２５】
リスク推定部７０の経験レベル解析部７２は、図１６のステップＳ５１において、ユーザの経験レベルを解析する。例えば、経験レベル解析部７２は、検査経歴解析部７７によって、各ユーザの内視鏡検査経歴を解析する。図１９は検査経歴解析部７７の具体的な処理の一例を示している。検査経歴解析部７７は、総検査数解析部７７ａによって内視鏡検査の総検査数を解析する（Ｓ５１４）。また、検査経歴解析部７７は、総検査時間解析部７７ｂによって内視鏡検査の総検査時間を解析する（Ｓ５１５）。【０１２６】
なお、ステップＳ５１４，Ｓ５１５の解析は、逆順に行ってもよく、また、いずれか一方の解析のみを行ってもよい。経験レベル解析部７２は、解析した総検査数及び総検査時間の少なくとも一方の解析結果に基づいて、経験レベルを算出する（Ｓ５１６）。経験レベル解析部７２は、算出した経験レベルをリスク推定結果として表示制御部８１に出力する。なお、経験レベル解析部７２は、総検査数が多いほど、また、総検査時間が長い程、経験レベルが高く、検査品質が低下するリスクが低いと推定し、総検査数が少ないほど、また、総検査時間が短い程、経験レベルが低く、品質が低下するリスクが高いと推定する。【０１２７】
表示制御部８１の検出マーカ情報生成部８２において、リスク推定結果に応じた形態の検出マーカを表示するための情報が生成されることは第５の実施形態と同様である。この結果、表示装置９５の表示画面９５ａ上には、ユーザの経験レベルに応じた形態の検出マーカが表示される。【０１２８】
他の作用は第５の実施形態と同様である。このように本実施の形態においても、第５の実施形態と同様の効果を得ることができる。【０１２９】
（第７の実施形態）
図２０は本発明の第７の実施形態を示すブロック図である。本実施形態の内視鏡システムは、画像処理装置４０に代えて画像処理装置４６を採用した点が図１と異なる。図２０の画像処理装置４６は、経験レベル解析部７２を比較解析部７８によって構成した点が図１５と異なる。他の構成は第５の実施形態と同様であり、説明を省略する。本実施形態はユーザの経験レベルをコンピュータ診断支援装置（Ｃｏｍｐｕｔｅｒ  Ａｉｄｅｄ  Ｄｉａｇｎｏｓｉｓ：ＣＡＤ）との比較による解析によって推定する例である。【０１３０】
比較解析部７８は、病変部候補に対するユーザの診断結果とＣＡＤによる診断結果とを比較し比較結果の推移を解析する。本実施形態では、一例として、比較解析部７８は、過去からの推移解析部７８ａ及び症例内の推移解析部７８ｂによって構成する。【０１３１】
過去からの推移解析部７８ａは、病変部候補に対するユーザの診断結果とＣＡＤによる診断結果とを比較し、ＣＡＤの診断結果を基準にしてユーザの診断結果がどのように変化したかの推移を解析する。通常、病変部候補に対する診断の正当性の度合いは、熟練度が極めて高いエキスパートの医師≧ＣＡＤ＞未熟な医師であると考えられる。このため、未熟な医師による診断結果とＣＡＤの診断結果との差は比較的大きく、当該医師が経験を積むにつれて、次第にその差が小さくなるものと考えられる。【０１３２】
従って、ユーザの診断結果とＣＡＤによる診断結果との比較を行い、比較結果を図示しないメモリに記憶させ、比較結果の推移によって、ユーザの経験レベルを判断することが可能である。過去からの推移解析部７８ａは、このような診断結果の記録及び読み出しを行って比較結果の推移を解析し、経験レベル解析部７２は、解析結果に基づいてユーザの経験レベルを判定する。なお、リスク推定部７０は、システム情報に基づいて、ユーザの診断結果及びＣＡＤの診断結果を取得することができる。【０１３３】
また、症例内の推移解析部７８ｂは、１つの症例内において、病変部候補に対するユーザの診断結果とＣＡＤによる診断結果とを比較し、ＣＡＤの診断結果を基準にしてユーザの診断結果がどのように変化したかの推移を解析する。１症例内の診断時においても、ユーザが経験を積み、ユーザの診断結果とＣＡＤによる診断結果との差が小さくなることがある。症例内の推移解析部７８ｂは、各症例内において診断結果の記録及び読み出しを行って比較結果の推移を解析し、経験レベル解析部７２は、解析結果に基づいてユーザの経験レベルを判定する。【０１３４】
なお、本実施形態においては、比較解析部７８は、過去からの推移解析部７８ａ及び症例内の推移解析部７８ｂにより構成した例を説明したが、過去からの推移解析部７８ａ又は症例内の推移解析部７８ｂのいずれか一方によって構成してもよい。【０１３５】
次に、このように構成された実施形態の動作について図２１を参照して説明する。図２１は第７の実施形態の動作を説明するためのフローチャートである。【０１３６】
本実施形態における動作は、図３及び図１６と同様である。図２１は、図１６のステップＳ５１について、図１７とは異なる具体的なフローの一例を示している。【０１３７】
リスク推定部７０の経験レベル解析部７２は、図１６のステップＳ５１において、ユーザの経験レベルを解析する。経験レベル解析部７２は、比較解析部７８によって、経験レベルを解析する。図２１は比較解析部７８の具体的な処理の一例を示している。比較解析部７８は、各ユーザの診断結果とＣＡＤの診断結果を取得し（図２１のＳ５１７）、過去からの推移解析部７８ａによってユーザの診断結果とＣＡＤの診断結果との差の推移を解析する（Ｓ５１８）。経験レベル解析部７２は、症例内の推移解析部７８ｂによって、１症例内について、ユーザの診断結果とＣＡＤの診断結果との差の推移を解析する（Ｓ５１９）。【０１３８】
なお、ステップＳ５１８，Ｓ５１９の解析は、逆順に行ってもよく、また、いずれか一方の解析のみを行ってもよい。経験レベル解析部７２は、解析した過去からの推移の解析結果及び１症例内での推移の解析結果の少なくとも一方の解析結果に基づいて、経験レベルを算出する（Ｓ５２０）。例えば、経験レベル解析部７２は、ユーザの診断結果とＣＡＤの診断結果との差の推移によって、ユーザの診断結果の正当性の度合いを判断してユーザの経験レベルを求める。例えば、ユーザの診断結果とＣＡＤの診断結果との差が小さくなると、ユーザの経験レベルが高くなったものと判定することができる。【０１３９】
リスク推定部７０は、算出した経験レベルをリスク推定結果として表示制御部８１に出力する。表示制御部８１の検出マーカ情報生成部８２において、リスク推定結果に応じた形態の検出マーカを表示するための情報が生成されることは第５の実施形態と同様である。この結果、表示装置９５の表示画面９５ａ上には、ユーザの経験レベルに応じた形態の検出マーカが表示される。【０１４０】
他の作用は第５の実施形態と同様である。このように本実施の形態においても、第５の実施形態と同様の効果を得ることができる。【０１４１】
なお、リスク推定部７０としては、上記第５から第７の実施形態における抜き差し回数解析部７６ａ、到達時間解析部７６ｂ、総検査数解析部７７ａ、総検査時間解析部７７ｂ、過去からの推移解析部７８ａ及び症例内の推移解析部７８ｂのうちの少なくとも１つを備えた経験レベル解析部７２を採用してユーザの経験レベルを解析するようになっていてもよい。【０１４２】
更に、リスク推定部７０は、上記第２〜第７の実施形態における疲労度解析部７１及び経験レベル解析部７２の少なくとも１つを備えていてもよい。【０１４３】
また、上記各実施形態において、報知を音声等によって行う場合にも、リスク推定結果に応じた報知態様を設定することが可能である。【０１４４】
なお、明細書中で説明した技術のうち、主にフローチャートで説明した制御に関しては、プログラムで設定可能であることが多く、記録媒体や記録部に収められる場合もある。この記録媒体、記録部への記録の仕方は、製品出荷時に記録してもよく、配布された記録媒体を利用してもよく、インターネットを介してダウンロードしたものでもよい。【０１４５】
また、フローチャート中の各ステップは、その性質に反しない限り、実行順序を変更し、複数同時に実行し、あるいは実行毎に異なった順序で実行してもよい。【０１４６】
なお、実施形態中で、「部」として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはＦＰＧＡなどシーケンサを組み合わせて構成されてもよい。【０１４７】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図１】
2020152758.tif 000003
【図２】
2020152758.tif 000004
【図３】
2020152758.tif 000005
【図４】
2020152758.tif 000006
【図５】
2020152758.tif 000007
【図６】
2020152758.tif 000008
【図７】
2020152758.tif 000009
【図８】
2020152758.tif 000010
【図９】
2020152758.tif 000011
【図１０】
2020152758.tif 000012
【図１１】
2020152758.tif 000013
【図１２】
2020152758.tif 000014
【図１３】
2020152758.tif 000015
【図１４】
2020152758.tif 000016
【図１５】
2020152758.tif 000017
【図１６】
2020152758.tif 000018
【図１７】
2020152758.tif 000019
【図１８】
2020152758.tif 000020
【図１９】
2020152758.tif 000021
【図２０】
2020152758.tif 000022
【図２１】
2020152758.tif 000023
【手続補正書】
【提出日】令和3年7月19日(2021.7.19)
【手続補正２】
【補正対象書類名】明細書
【補正対象項目名】０００１
【補正方法】変更
【補正の内容】
【０００１】
本発明は、画像処理装置、診断支援方法及び画像処理プログラムに関する。
【手続補正３】
【補正対象書類名】明細書
【補正対象項目名】０００７
【補正方法】変更
【補正の内容】
【０００７】
本発明は、観察画像そのものを変更することなく、ユーザの状態に応じて表示方法を変更することにより、病変部候補領域の見落としを防止することができる画像処理装置、診断支援方法及び画像処理プログラムを提供することを目的とする。
【手続補正４】
【補正対象書類名】明細書
【補正対象項目名】０００８
【補正方法】変更
【補正の内容】
【０００８】
本発明の一態様による画像処理装置は、被検体の観察画像を入力するか又は前記観察画像及びシステム情報を入力する入力部と、前記観察画像から病変部候補を検出する検出部と、 前記観察画像又は前記システム情報から検査品質の低下リスクを推定するリスク推定部と、前記リスク推定部のリスク推定結果から前記病変部候補の報知態様を制御する報知制御部と、前記報知制御部の制御に従って前記病変部候補を報知する報知出力部と、を具備する。
【手続補正５】
【補正対象書類名】明細書
【補正対象項目名】０００９
【補正方法】変更
【補正の内容】
【０００９】
本発明の一態様による画像処理プログラムは、コンピュータに、被検体の観察画像を入力するか又は前記観察画像及びシステム情報を入力し、前記観察画像から病変部候補を検出し、前記観察画像又は前記システム情報から検査品質の低下リスクを推定し、前記検査品質の低下リスクの推定結果から前記病変部候補の報知態様を制御し、前記報知態様の制御に従って前記病変部候補を報知する、処理を実行させる。
本発明の一態様による診断支援方法は、被検体の観察画像から病変部候補を検出し、前記観察画像又はシステム情報から検査品質の低下リスクを推定し、前記検査品質の低下リスクの推定結果に応じた報知態様で前記病変部候補を報知する。
【手続補正６】
【補正対象書類名】特許請求の範囲
【補正対象項目名】全文
【補正方法】変更
【補正の内容】
【特許請求の範囲】
【請求項１】
被検体の観察画像を入力するか又は前記観察画像及びシステム情報を入力する入力部と、
前記観察画像から病変部候補を検出する検出部と、 
前記観察画像又は前記システム情報から検査品質の低下リスクを推定するリスク推定部と、
前記リスク推定部のリスク推定結果から前記病変部候補の報知態様を制御する報知制御部と、
前記報知制御部の制御に従って前記病変部候補を報知する報知出力部と、
を具備したことを特徴とする画像処理装置。
【請求項２】
前記リスク推定部は、ユーザの疲労度を解析する疲労度解析部を具備し、
解析結果の疲労度に基づいて、前記リスク推定結果を求める
ことを特徴とする請求項１に記載の画像処理装置。
【請求項３】
前記疲労度解析部は、操作ログを解析する第１操作ログ解析部を具備し、
解析結果の操作ログに基づいて、前記疲労度を求める
ことを特徴とする請求項２に記載の画像処理装置。
【請求項４】
前記第１操作ログ解析部は、任意期間における内視鏡の持ち変え回数を解析する持ち変え回数解析部を具備し、
解析結果の持ち変え回数に基づいて、前記疲労度を求める
ことを特徴とする請求項３に記載の画像処理装置。
【請求項５】
前記第１操作ログ解析部は、任意期間における内視鏡のひねり回数を解析するひねり回数解析部を具備し、
解析結果のひねり回数に基づいて、前記疲労度を求める
ことを特徴とする請求項３に記載の画像処理装置。
【請求項６】
前記疲労度解析部は、検査状況ログを解析する検査状況解析部を具備し、
解析結果の検査状況に基づいて、前記疲労度を求める
ことを特徴とする請求項２に記載の画像処理装置。
【請求項７】
前記検査状況解析部は、任意期間における検査経過時間を解析する検査経過時間解析部を具備し、
解析結果の検査経過時間に基づいて、前記疲労度を求める
ことを特徴とする請求項６に記載の画像処理装置。
【請求項８】
前記検査状況解析部は、連続検査回数を解析する連続検査回数解析部を具備し、
解析結果の連続検査回数に基づいて、前記疲労度を求める
ことを特徴とする請求項６に記載の画像処理装置。
【請求項９】
前記疲労度解析部は、生体情報を解析する生体情報解析部を具備し、
解析結果の生体情報に基づいて、前記疲労度を求める
ことを特徴とする請求項２に記載の画像処理装置。
【請求項１０】
前記生体情報解析部は、瞬き回数解析部を具備し、
解析結果の瞬き回数に基づいて、前記疲労度を求める
ことを特徴とする請求項９に記載の画像処理装置。
【請求項１１】
前記リスク推定部は、ユーザの経験レベルを解析する経験レベル解析部を具備し、
解析結果の経験レベルに基づいて、前記リスク推定結果を求める
ことを特徴とする請求項１に記載の画像処理装置。
【請求項１２】
前記経験レベル解析部は、操作ログを解析する第２操作ログ解析部を具備し、
解析結果の操作ログに基づいて、前記経験レベルを求める
ことを特徴とする請求項１１に記載の画像処理装置。
【請求項１３】
前記第２操作ログ解析部は、内視鏡の検査対象部までの内視鏡の抜き差し回数を解析する抜き差し回数解析部を具備し、
解析結果の抜き差し回数に基づいて、前記経験レベルを求める
ことを特徴とする請求項１２に記載の画像処理装置。
【請求項１４】
前記第２操作ログ解析部は、内視鏡の検査対象部までの到達時間を解析する到達時間解析部を具備し、
解析結果の到達時間に基づいて、前記経験レベルを求める
ことを特徴とする請求項１２に記載の画像処理装置。
【請求項１５】
前記経験レベル解析部は、ユーザの検査経歴を解析する検査経歴解析部を具備し、
解析結果の検査経歴に基づいて、前記経験レベルを求める
ことを特徴とする請求項１１に記載の画像処理装置。
【請求項１６】
前記検査経歴解析部は、任意期間における検査の総検査数及び総検査時間の少なくとも一方を解析することで前記経験レベルを求める
ことを特徴とする請求項１５に記載の画像処理装置。
【請求項１７】
前記経験レベル解析部は、ユーザの診断結果とコンピュータ診断支援装置の診断結果との比較結果の推移を解析する比較解析部を具備し、
解析結果の比較結果の推移に基づいて、前記経験レベルを求める
ことを特徴とする請求項１１に記載の画像処理装置。
【請求項１８】
前記比較解析部は、過去から現在に至る比較結果の推移及び１検査内における比較結果の推移の少なくとも一方に基づいて前記経験レベルを求める
ことを特徴とする請求項１７に記載の画像処理装置。
【請求項１９】
前記報知制御部は、前記リスク推定結果に基づいて前記病変部候補の報知時間を変更する
ことを特徴とする請求項１に記載の画像処理装置。
【請求項２０】
前記報知制御部は、前記リスク推定結果に基づいて前記病変部候補の報知内容を変更する
ことを特徴とする請求項１に記載の画像処理装置。
【請求項２１】
前記報知制御部は、前記リスク推定結果に基づいて前記病変部候補の報知態様の表示色調を変更する
ことを特徴とする請求項２０に記載の画像処理装置。
【請求項２２】
前記報知制御部は、前記病変部候補の性状を解析する病変解析部を具備し、
前記病変部候補の性状及び前記リスク推定結果に基づいて前記病変部候補の表示非表示の表示判定レベルを変化させる
ことを特徴とする請求項２０に記載の画像処理装置。
【請求項２３】
前記報知出力部は、前記観察画像と前記病変部候補を示す検出マーカとを表示器に表示する
ことを特徴とする請求項１に記載の画像処理装置。
【請求項２４】
コンピュータに、
被検体の観察画像を入力するか又は前記観察画像及びシステム情報を入力し、
前記観察画像から病変部候補を検出し、
前記観察画像又は前記システム情報から検査品質の低下リスクを推定し、
前記検査品質の低下リスクの推定結果から前記病変部候補の報知態様を制御し、
前記報知態様の制御に従って前記病変部候補を報知する、
処理を実行させるための画像処理プログラム。
【請求項２５】
前記検査品質の低下リスクを推定する処理は、ユーザの疲労度を解析し、前記疲労度に基づいて、前記検査品質の低下リスクを求める処理を含む
ことを特徴とする請求項２４に記載の画像処理プログラム。
【請求項２６】
被検体の観察画像から病変部候補を検出し、
前記観察画像又はシステム情報から検査品質の低下リスクを推定し、
前記検査品質の低下リスクの推定結果に応じた報知態様で前記病変部候補を報知する、
ことを特徴とする診断支援方法。
【請求項２７】
前記検査品質の低下リスクを推定する処理は、ユーザの疲労度を解析し、前記疲労度に基づいて、前記検査品質の低下リスクを求める処理を含む
ことを特徴とする請求項２６に記載の診断支援方法。
【国際調査報告】
2020152758.tif 000024
2020152758.tif 000025
2020152758.tif 000026